(57)【要約】      （修正有）【課題】引き上げ過ぎて外れたりしないと共に、詰め替えに便利なポンプホルダーを提供する。【解決手段】ポンプ１４又はポンプキャップ１３に対する取付部を上部に形成すると共に、中間部に注入口４を形成し、下部に容器本体１０の口縁１２に上方から係合するポンプ保持ストッパー７を形成し、このポンプ保持ストッパー７の下部に、容器本体１０の口部１１内において、ポンプ１４を一定量以上引き上げたときに外れるのを阻止する抜け止めストッパー６を形成する。【選択図】図３
2008018989.tif 000002
【特許請求の範囲】
【請求項１】
ポンプ又はポンプキャップに対する取付部を上部に形成すると共に、中間部に注入口を形成し、下部に容器本体の口縁に上方から係合するポンプ保持ストッパーを形成し、このポンプ保持ストッパーの下部に、容器本体の口部内において、ポンプを一定量以上引き上げることにより外れるのを阻止する抜け止めストッパーを形成して成るポンプ付容器に用いられるポンプホルダー。
【請求項２】
前記ポンプホルダーは、全体がくの字形に屈曲していると共に、注入口はこの屈曲した外側に位置するように形成されていること、を特徴とする請求項１に記載のポンプ付容器に用いられるポンプホルダー。
【請求項３】
前記ポンプホルダーは、柔軟性を有する樹脂を用いて一体成形されていること、を特徴とする請求項１又は２の何れか１項に記載のポンプ付容器に用いられるポンプホルダー。
【発明の詳細な説明】
【技術分野】
【０００１】
本発明は、シャンプー、洗剤等の詰め替え容器から、ポンプ付容器内に内容物を注入する際に、容器内から引き上げたポンプを容器本体の口上に保持して詰め替え作業時におけるポンプ及びキャップ等に付着した内容物により辺りを汚したり、あるいはポンプシリンダー等に埃やゴミ類が付着して不衛生となったりしないようにポンプを容器本体の口のところに保持しておくためのポンプホルダーに関する。
【背景技術】
【０００２】
シャンプー、洗剤等の場合、ポンプ容器内の内容物を使い切ると、詰め替え容器内に入った同一種のものを詰め替えて使用する使用例が普及している。
この種用途に用いられる詰め替え容器には、パウチ又は簡易な細口ボトルが用いられていて、詰め替えを行うときは、パウチの注入口をカットしたり、ボトルのキャップをあけ、その上でポンプを取り外した容器本体の口から詰め替え液を注入する形態となっている。
このようにして詰め替えを行う場合には、容器本体から一旦ポンプを引き上げて脇に置く必要があるため、ポンプのシリンダーや吸上げパイプに付着した内容物が手や衣類、あるいは辺りに付着して汚れるという欠点がある。
また、シャンプーや洗剤についてはそれ程問題とならないが、除菌液等の場合には、詰め替え時に外して置いたポンプのシリンダーや吸上げパイプに雑菌が付着する心配がある。
【０００３】
このような観点から、詰め替え時にポンプを引き上げて容器本体の口のところに保持したまま詰め替えを行うことができるようにした液体噴出器の提案がある（特開２００４−２９２０３４号公報）。
この公知例の内容は、「容器と、下端に吸上げパイプを垂設したポンプと、容器口部に取着されたポンプ受け体とからなるディスペンサー付き容器であって、ポンプ受け体は、容器口部に取着される取付筒と保持筒とを具備しており、保持筒の下端に、先端を吸上げパイプの嵌挿部とした保持杆が連設され、保持杆の間が流通孔となっていることを特徴とするディスペンサー付き容器。」（請求項１）及び「容器と、下端に吸上げパイプを垂設したポンプと、容器口部に取着されたポンプ受け体とからなるディスペンサー付き容器であって、ポンプ受け体は、取付筒と、該取付筒に連杆を介して連設された保持部とを具備しており、保持部は、連杆に連設された外筒とポンプを保持する嵌挿筒とを具備し、前記連杆の間が流通孔となっていることを特徴とするディスペンサー付き容器。」（請求項２）である。
【０００４】
しかし、上記公知例の場合、ポンプ受け体を容器口部に取着し、この受け体の保持筒にポンプ側の吸上げパイプを嵌挿しているだけのため、ポンプを引き上げすぎると外れたりすることがあると共に、引き上げたときにポンプのシリンダーや吸上げパイプは露出しているため、ここで手が汚れたり、雑菌が付着したりするという欠点がある。
また、保持筒を経由して詰め替え液が流入する構造のため、流入量が少なく、詰め替えに時間がかかると共に、勢いが良いと溢れ出ることがある。
【０００５】
次に、同一の目的を持った公知例として、特開２００４−２９８８０４号公報に掲載されているものがある。
この公知例は、「容器体２内部へシリンダ９を垂下させた状態でその口頸部７を閉塞して容器体にポンプ３を着脱可能に装着するとともに、シリンダ９下端より容器体２内底部へ液吸い上げ用のパイプ１０を垂設し、且つ、上記ポンプの作動により上記容器体内液体を噴出する如く構成した液体噴出器であって、上記口頸部に上端部を固定させた注入窓２２付きの大径部２３を上記シリンダと隙間をあけて垂下するとともに、上記容器体内の下向き面ｆに当接して抜け出しを防止する係止片２４を上記大径部より斜め上方へ突設し、且つ、上記パイプ外周に摺動可能に密嵌させた小径部２５を上記大径部下方へ延設した筒部材４を設け、上記ポンプを上記口頸部からの液注入が可能な位置まで引き上げた際に上記小径部による上記ポンプの起立状態維持が可能に構成したことを特徴とする」ものである。
【０００６】
しかし、この公知例の場合も、ポンプを引き上げすぎると外れたりすることがあると共に、詰め替え液の注入シリンダー９と筒部材４との間において液体の流入スペースが小さく、詰め替えに時間がかかると共に、ポンプを引き上げたときにシリンダーが露出して（図３参照）、手を汚したり、雑菌が付着する。
また、ポンプの引き上げ量が定まっていないことから、使い勝手が悪い。
【発明の開示】
【発明が解決しようとする課題】
【０００７】
本発明は、以上の如き欠点を解消した詰め替え時にポンプを保持するポンプホルダーを提供するのが目的である。
【課題を解決するための手段】
【０００８】
上記目的を達成するため、請求項１に記載の発明においては、ポンプ付容器に用いられるポンプホルダーにおいて、ポンプ又はポンプキャップに対する取付部を上部に形成すると共に、中間部に注入口を形成し、下部に容器本体の口縁に上方から係合するポンプ保持ストッパーを形成し、このポンプ保持ストッパーの下部に、容器本体の口部内において、ポンプを一定量以上引き上げることにより外れるのを阻止する抜け止めストッパーを形成して成ることを特徴とするものである。
【０００９】
更に、請求項２に記載の発明においては、請求項１に記載のポンプ付容器に用いられるポンプホルダーにおいて、全体がくの字形に屈曲していると共に、注入口はこの屈曲した外側に位置するように形成されていること、を特徴とするものである。
この発明によると、注入口が大きく開くため、詰め替えを簡単に行うことができる。
【００１０】
更に、請求項３に記載の発明においては、請求項１又は２の何れか１項に記載のポンプ付容器に用いられるポンプホルダーにおいて、柔軟性を有する樹脂を用いて一体成形されていること、を特徴とするものである。
この発明によると、ポンプホルダーの製造コストを安く抑えることができる。
【００１１】
［作用］
ポンプ又はポンプキャップに取り付けられたポンプホルダーは、詰め替えのためにポンプを容器本体から一定量引き上げると、抜け止めストッパーが容器本体の口部内に係合することによって、それ以上のポンプの引き上げはできない。このとき、ポンプ保持ストッパーが容器本体の口縁に上方から係合するため、ポンプをそのまま容器本体の口上に保持させておくことができる。この結果、前記注入口に詰め替え容器の注入口を臨ませて詰め替え液を容器本体内に注入することができる。注入を終えてポンプを容器本体内に押し込むようにすると、ポンプ保持ストッパー及びホルダー自体がその弾性作用で変形することから、たやすくポンプを再度容器本体内に組み入れることができる。、
【発明の効果】
【００１２】
本発明に係るポンプホルダーは以上の如き構成から成るため、次の効果を奏する。
１．詰め替えのためにポンプを引き上げると、抜け止めストッパーが容器本体の口部内    に当り、それ以上の引き上げを阻止するので、ポンプが不用意に抜け出たりしないと    共に、ポンプ保持ストッパーが容器本体の口部の上に露出するので、ここでポンプを    手放すと、ポンプ保持ストッパーが口縁に上から係合する。この結果、注入口から詰    め替え液を簡単に注入することができる。
２．万一、注入中に容器本体が倒れてもポンプホルダーは抜け止めストッパーとポンプ    保持ストッパーにより口部にしっかりと止められているため、外れたりする心配がな    い。
３．ポンプホルダーは、弾性樹脂で一体成形されているため、ストッパーの変形に併せ    てストッパー自体が変形してスムーズにポンプの出し入れを行うことができる。
４．ホルダー自体を中空形成法により成形するようにすると、金型コストを抑えること    ができる。
【実施例１】
【００１３】
上記した本発明に係るポンプホルダーの実施例を図１乃至図４に基づいて詳細に説明する。図１はポンプホルダーの全体を示す斜視図、図２はポンプホルダーを装着したポンプ容器のポンプ側上半の説明図、図３はポンプ側を容器本体の口部から引き上げた状態の説明図、図４は詰め替え液を容器本体内に注入している状態の説明図である。
【００１４】
ポンプホルダー１は、図１に示すように、上端部にパッキン兼用のリング２を形成し、このリング２の内縁から支持片３を等間隔で垂下させ、この支持片３の下端を環体５で連結し、この環体５の下縁から水平方向に約９０°の広がり角で引き上げ阻止ストッパー６を形成すると共に、前記支持片３の略中間に、ポンプ保持ストッパー７を突出させた構造であって、このポンプ保持ストッパー７は、ポンプホルダー１を一定の力で押し込むと口縁に当って変形し、口部内への挿入を許容し、反対に引き上げてポンプから手を離すと、元の形状に戻る。４は、支持片３間に開口している注入口である。
なお、本実施例１において、ポンプ保持ストッパー７は、上辺にＲをつけた直角三角形状を呈しているが、上下辺にそれぞれ傾斜又はＲをつけた三角形状、あるいは半円形状としても良いし、特にこの形状は、ストッパーとしての機能を有し、力をかけたときに口部内に出入りがスムーズな形状ならば、どのような形状であっても良い。
【００１５】
上記ポンプホルダー１は、図２に示すように、容器本体１０の口部１１の上縁１２とポンプキャップ１３間にリング２を挟み込むようにしてポンプ１４側に取り付けられる。ポンプ１４のシリンダー１５は、このポンプホルダー１の中央を通って下方に向き、このシリンダー１５には吸上げパイプ１６が容器本体１０内の底部近くまで垂下されている。このようにしてポンプ１４に取り付けられたポンプホルダー１を最初に容器本体１０の口部１１内に挿入するとき、抜け止めストッパー６、ポンプ保持ストッパー７及びホルダー自体が変形するため、ポンプ１４及びポンプホルダー１を容器本体１０内に簡単に押し込むことができる。
ポンプ１４は、ポンプヘッド１７を駆動することにより、容器本体１０内の液体を吸い上げてノズル１８から噴出させることができる。
【００１６】
図３は、ポンプキャップ１３を弛めてこのポンプキャップ１３を持ち、ポンプ１４を引き上げた状態、図４は、詰め替えを行っている状態を示すもので、この引き上げ時に、ポンプホルダー１は、ポンプ１４と一緒に引き上げられ、抜け止めストッパー６が容器本体１０の口部１１の肩に内側から当ることにより引き上げが阻止される。
この引き上げ時に、ポンプ保持ストッパー７及びポンプホルダー１は、その弾性により変形するため、引き上げの障害とはならず、ポンプ保持ストッパー７は口部１１から外に出て元の三角形状に復元する。この結果、ポンプ１４から手を離すと、ポンプ保持ストッパー７が容器本体１０の口部１１の上縁１２に当り、ポンプ１４は容器本体１０の口部１１上に保持される。
【００１７】
このようにしてポンプホルダー１の作用でポンプ１４を引き上げたまま、図４に示すように、支持片３間の注入口４のところに注入口２１をカットした詰め替えパウチ２０内から詰め替え液を容器本体１０内に注入すると、詰め替え液は、ポンプホルダー１の中央を通って容器本体１０内に流下する。
詰め替えが終り、ポンプ１４を口部１１内に押し込むと、ポンプ保持ストッパー７及びポンプホルダー１自体が変形し、ポンプホルダー１は元通り口部１１内に入るため、、支障なくポンプキャップ１３を容器本体１０の口部１１にねじ込んでポンプ１４を容器本体１０に取り付けることができる。
【実施例２】
【００１８】
本実施例２は、請求項２に記載の本願発明に対応するもので、実施例１のポンプホルダー１との違いは、図５に示すように、支持片３において、ポンプ保持ストッパー７の上のところを少し傾けることにより、全体をくの字形に屈曲させ、注入口４の位置をこの屈曲させた外側において大きく開口させて図８に示すように詰め替え時に注入しやすいように工夫したものである。
図６はポンプキャップ１３を容器本体１０に締め付けた時のポンプホルダー１の状態を示すもので、この時、ポンプホルダー１の下部は、シリンダー１５及び吸上げパイプ１６の邪魔にならない程度にくの字形に傾いている。
【００１９】
図７はポンプ１４を引き上げてポンプ保持ストッパー７を容器本体１０の口縁１２に引っ掛けた状態、図８は詰め替え容器２０から詰め替え液を注入している状態を示すものである。
なお、本実施例２において、ポンプホルダー１の傾け角は約２０°であるが、あまり傾けすぎるとポンプ１４を容器本体１０にセットしたときにホルダーの傾きが大きくなりすぎ、傾き角が小さいと注入口４の開きが小さくなるので、実用的には１５°〜２５°位の範囲が有効である。
本実施例２を示す図５乃至図８において、図１乃至図４と同一の符号は、同一物及び同一構造及び同一の作用を奏するもののため、重複を避けるためにその説明は省略する。
【実施例３】
【００２０】
本実施例３と実施例１との相違点は、図９に示すように、ポンプホルダー１をポンプ１４のシリンダー１５の先端（下端）に取り付けるようにしたもので、実施例１のリング２に相当する構成が無いことと、ポンプホルダー１は、天板１ａの中心に取付孔１ｂを設けた円筒体の側面に略１８０°の広がりの注入口４を形成したもので、このポンプホルダー１は、図１０に示すように、吸上げパイプ１６を取り付けたシリンダー１５の先端固定部１５ａに前記取付孔１ｂを外嵌し、図９に示す固定部材１５ｂをポンプホルダー１の内方から先端固定部１５ａに嵌合させることにより、シリンダー１５の下に取り付けられる。
【００２１】
この実施例３のポンプホルダー１によると、図１１に示すように、ポンプ１４を大きく引き上げて詰め替えを行うことができると共に、注入口４が大きいため、詰め替えに便利である。
本実施例３を示す図９乃至図１１において、図１乃至図４と同一の符号は、同一物及び同一構造及び作用を奏するもののため、重複を避けるためにその説明は省略する。
【実施例４】
【００２２】
本実施例４と実施例１との相違点は、ポンプホルダー１をポンプ１４のシリンダー１５の先端固定部１５ａに直接嵌合して取り付けることができるように、ポンプホルダー１の天板１ａの中央に上向きにシリンダ−１５の先端固定部１５ａに嵌合させるための嵌合口１ｃを形成し、支持片３を１８０°間隔で２枚板とすることにより、注入口４を左右に大きく開口させた点である。
【００２３】
本実施例４のポンプホルダー１は、図１３に示すように、シリンダー１５の先端固定部１５ａに嵌合口１ｃを嵌合して取り付けられるもので、図１４に示すように、ポンプ１４を引き上げると抜け止めストッパー６が容器本体１０の口部１１内に係合し、ポンプ保持ストッパー７が口縁１２上に係合することにより注入口４が左右に大きく開口するため、左右いずれの方向からでも詰め替えを行うことができて便利である。
本実施例４に示す図１２乃至図１４において、図１乃至図４と同一の符号は、同一物及び同一構造及び作用を奏するもののため、重複を避けるためにその説明は省略する。
なお、上記した実施例１乃至４において、ポンプホルダー１の成形用樹脂には、ポリプロピレン又はポリエチレンが用いられているが、これらに限定されるものではない。
【図面の簡単な説明】
【００２４】
【図１】本発明に係るポンプホルダーの説明図
【図２】ポンプホルダーをポンプと一緒に容器本体内に組み付けた状態の説明図
【図３】ポンプを引き上げた時にポンプがホルダーにより保持されている状態の説明図
【図４】詰め替え液を注入している状態の説明図
【図５】実施例２のポンプホルダーの説明図
【図６】ポンプホルダーをポンプと一緒に容器本体内に組み付けた状態の説明図
【図７】ポンプを引き上げた時にポンプがホルダーにより保持されている状態の説明図
【図８】詰め替え液を注入している状態の説明図
【図９】実施例３のポンプホルダーの説明図
【図１０】ポンプホルダーをポンプと一緒に容器本体内に組み付けた状態の説明図
【図１１】ポンプを引き上げた時にポンプがホルダーにより保持されている状態の説明図
【図１２】（Ａ）はポンプホルダーの正面図、（Ｂ）（Ｃ）は平面図、（Ｄ）は下面図
【図１３】ポンプホルダーをポンプと一緒に容器本体内に組みつけた状態の説明図
【図１４】ポンプを引き上げた時にポンプがホルダーにより保持されている状態の説明図
【符号の説明】
【００２５】
１  ポンプホルダー
２  リング
３  支持片
４  注入口
５  環体
６  抜け止めストッパー
７  ポンプ保持ストッパー
１０  容器本体
１１  口部
【図１】
2008018989.tif 000003
【図２】
2008018989.tif 000004
【図３】
2008018989.tif 000005
【図４】
2008018989.tif 000006
【図５】
2008018989.tif 000007
【図６】
2008018989.tif 000008
【図７】
2008018989.tif 000009
【図８】
2008018989.tif 000010
【図９】
2008018989.tif 000011
【図１０】
2008018989.tif 000012
【図１１】
2008018989.tif 000013
【図１２】
2008018989.tif 000014
【図１３】
2008018989.tif 000015
【図１４】
2008018989.tif 000016